【手続補正書】
【提出日】平成18年3月1日(2006.3.1)
【手続補正１】
【補正対象書類名】明細書
【補正対象項目名】請求項１
【補正方法】変更
【補正の内容】
【請求項１】  チャンバー内に静置される生体液体試料を試験する装置であって、
各試料域が既知または確認可能な領域を有する、１以上の試料域を選択的に照明する試料域照明装置（４０）；
チャンバー（２０）または上記の試料域照明装置の一方の位置を、チャンバーまたは上記の試料域照明装置のもう一方に対して選択的に変化させるために操作可能であり、それによってチャンバー内の複数の上記試料域の選択的な照明を可能にする、ポジショナー（８６）；
各個の上記試料域の平面間の厚みまたは容積の一つを決定する手段；および
試料のそれぞれの上記の選択試料域の中を通過する、またはそこから放出される光の像を、試験目的にとって有用な電子データフォーマットに変換するための解像器（４２）
からなる上記装置。
【手続補正２】
【補正対象書類名】明細書
【補正対象項目名】請求項２１
【補正方法】変更
【補正の内容】
【請求項２１】  上記光源励起フィルター（５８）が第一のホイール（６８）に搭載され、上記試料放出フィルター（６６）が第二のホイール（７０）に搭載され、上記の双方のホイールが上記光の光路の中および外で上記フィルターを回転することができ、および
上記の試料域照明装置（４０）が、上記光源励起フィルターと上記試料放出フィルターの全ての望ましい組合せを上記試験中に用いることができるように、上記第一のホイールと上記第二のホイールを同調させる手段をさらに含む、請求項２０記載の装置。
【手続補正３】
【補正対象書類名】明細書
【補正対象項目名】請求項２４
【補正方法】変更
【補正の内容】
【請求項２４】  チャンバー内に静置される生体液体の試料を試験する装置であって、
上記試料域が既知または確認可能な領域を有する、試料域を選択的に照明する試料域照明装置（４０）；
チャンバー（２０）または上記の試料域照明装置の一方の位置を、チャンバーまたは上記の試料域照明装置のもう一方に対して選択的に変化させるために操作可能であり、それによってチャンバー内の１以上の選択試料域の選択的な照明を可能にする、ポジショナー（８６）；および
チャンバーを上記の試料域照明装置に対して空間的に配置する手段が、上記の試料域照明装置を上記チャンバー内の上記の１以上の選択試料域に配置させる、チャンバーを上記の試料域照明装置に対して空間的に配置する手段
からなる上記装置。
【手続補正４】
【補正対象書類名】明細書
【補正対象項目名】請求項２５
【補正方法】変更
【補正の内容】
【請求項２５】  生体液体試料を試験する装置であって、
（ａ）  上記ラベル（２８）が、上記チャンバー内に静かに存在する生体液体試料に対する１つまたはそれ以上の試験の実施において用いられる情報を含む、試料を静かに保持するためのラベル（２８）およびチャンバー（２０）を有する使い捨ての容器（１８）；
（ｂ）  上記の使い捨ての容器を受ける読みとりモジュール（１４）であって、以下を含む読みとりモジュール：
上記の添付のラベルを読みとって、それによって上記情報にアクセスするラベルリーダー（３８）；
上記の試料域が既知または確認可能な領域を有する、試料域を選択的に照明する試料域照明装置（４０）；
上記チャンバーまたは上記の試料域照明装置の一方の位置を上記チャンバーまたは上記の試料域照明装置のもう一方に対して選択的に変化させるために操作可能であって、それによって上記チャンバー内の１以上の選択試料域の選択的な照明が可能になる、ポジショナー（８６）；
上記チャンバーを上記の試料域照明装置に対して空間的に配置させる手段が、上記チャンバー内の上記の１以上の選択試料域に上記の試料域照明装置を配置させることができる、上記チャンバーを上記の試料域照明装置に対して空間的に配置させる手段
からなる上記装置。
【手続補正５】
【補正対象書類名】明細書
【補正対象項目名】請求項２７
【補正方法】変更
【補正の内容】
【請求項２７】  上記読みとりモジュール（１４）が
上記の試料域の平面間の厚みまたは容積の一つを決定する手段
をさらに含む、請求項２６記載の装置。
【手続補正６】
【補正対象書類名】明細書
【補正対象項目名】請求項３０
【補正方法】変更
【補正の内容】
【請求項３０】  上記の複数の命令が上記プログラム可能な分析装置（１６）から離れて保存され、上記プログラム可能な分析装置を通じてアクセスされる、請求項２９記載の装置。
【手続補正７】
【補正対象書類名】明細書
【補正対象項目名】請求項３１
【補正方法】変更
【補正の内容】
【請求項３１】  上記の読みとりモジュール（１４）が
上記の試料域の容積の平面間の厚みまたは容積の一つを決定する手段
をさらに含む、請求項２５記載の装置。
【手続補正８】
【補正対象書類名】明細書
【補正対象項目名】請求項３２
【補正方法】変更
【補正の内容】
【請求項３２】  容器が第一の壁（３０）および透明な第二の壁（３２）を有するチャンバー（２０）、および上記容器に取り付けたラベル（２８）を含み、上記ラベルが１つまたはそれ以上の試験の実施において用いられる情報を含む、試料を保持するための容器（１８）を提供する段階；
上記読みとりモジュールが、上記ラベルを読みとるためのラベルリーダー（３８）および１つまたはそれ以上の試料域を選択的に照明する試料域照明装置（４０）を含み、それぞれの試料域が既知または確認可能な領域を有する読みとりモジュール（１４）を提供する段階；
上記試料がその後チャンバー内に静かに存在する、上記チャンバー内に上記試料を沈殿させる段階；
上記ラベルリーダーによって上記ラベルを読みとり、それによって上記容器から上記読みとりモジュールに、上記の１つまたはそれ以上の試験の実施に用いられる上記情報を伝達する段階；および
上記の試料域照明装置を用いて１つまたはそれ以上の上記試料域を選択的に造影する段階
からなる、生体液体試料を試験する方法。
【手続補正９】
【補正対象書類名】明細書
【補正対象項目名】請求項３４
【補正方法】変更
【補正の内容】
【請求項３４】  上記チャンバー（２０）を上記の試料域照明装置（４０）に対して空間的に配置する手段を提供する段階；
上記の試料域照明装置に対して上記チャンバーを空間的に配置する上記手段を用いて、上記チャンバーに対して上記の試料域照明装置を配置する段階
をさらに含む、請求項３３記載の方法。
【手続補正１０】
【補正対象書類名】明細書
【補正対象項目名】請求項３８
【補正方法】変更
【補正の内容】
【請求項３８】  感知可能な着色剤がシグナル対濃度比を有する、試料内に均一に分布した感知可能な着色剤を提供する段階；
第一および第二の試料域が等しい容積、および置換容積を有する幾何特徴を有し、上記特徴が上記第一または第二の試料内に存在する、１つまたはそれ以上の試験の実施において用いられる上記情報の一部として、第一の試料域を配置するための第一の空間的位置、第二の試料域を配置するための第二の空間的位置を提供する段階；
上記の試料域照明装置（４０）を上記の第一の空間的位置と整列するように配置する段階；
上記の第一の試料域を造影する段階；
上記の試料域照明装置（４０）を上記の第一または第二の位置と整列するように配置する段階；
上記の第二の試料域を造影する段階；
上記の第一および第二の試料域の上記の像を用いて上記の第一または第二の試料域の一つの上記の容積、上記幾何特徴の上記置換容積、および上記シグナル対濃度比を決定する段階
をさらに含む、請求項３４記載の方法。